(57)【要約】【課題】取り扱い性に優れたモバイルディスプレイを実現し得るモバイルディスプレイ用カバーガラスを提供する。【解決手段】モバイルディスプレイ用カバーガラス１０は、前面部１１と、側面部１２とを備える。前面部１１は、モバイルディスプレイの表示部の上に位置する。側面部１２は、前面部１１に接続されている。側面部１２は、モバイルディスプレイの側面に位置する。側面部１２の外表面の少なくとも一部の表面粗さ（Ｒａ）が、前面部１１の外表面の表面粗さ（Ｒａ）よりも大きい。【選択図】図１
2014115544.tif 000002
【特許請求の範囲】
【請求項１】
モバイルディスプレイの表示部の上に位置する前面部と、
前記前面部に接続されており、前記モバイルディスプレイの側面に位置する側面部と、
を備え、
前記側面部の外表面の少なくとも一部の表面粗さ（Ｒａ）が、前記前面部の外表面の表面粗さ（Ｒａ）よりも大きい、モバイルディスプレイ用カバーガラス。
【請求項２】
前記側面部の外表面の少なくとも一部の表面粗さ（Ｒａ）が、前記前面部の外表面の表面粗さ（Ｒａ）の１００倍以上である、請求項１に記載のモバイルディスプレイ用カバーガラス。
【請求項３】
前記側面部の外表面の少なくとも一部の表面粗さ（Ｒａ）が、０．５μｍ以上である、請求項１または２に記載のモバイルディスプレイ用カバーガラス。
【請求項４】
前記側面部の外表面の少なくとも一部に凹凸が設けられている、請求項１〜３のいずれか一項に記載のモバイルディスプレイ用カバーガラス。
【請求項５】
前記側面部の垂線方向において、凹凸の頂部と底部との間の距離が５０μｍ以上である、請求項４に記載のモバイルディスプレイ用カバーガラス。
【請求項６】
モバイルディスプレイの表示部の上に位置する前面部と、
前記前面部に接続されており、前記モバイルディスプレイの側面に位置する側面部と、
を備え、
前記側面部の外表面の少なくとも一部に凹凸が設けられている、モバイルディスプレイ用カバーガラス。
【請求項７】
前記側面部の垂線方向において、凹凸の頂部と底部との間の距離が５０μｍ以上である、請求項６に記載のモバイルディスプレイ用カバーガラス。
【請求項８】
主面に表示部を有するモバイルディスプレイ本体と、
前記表示部の上に配された前面部と、前記前面部に接続されており、前記モバイルディスプレイ本体の側方に配された側面部とを有するカバーガラスと、
を備え、
前記側面部の外表面の少なくとも一部の表面粗さ（Ｒａ）が、前記前面部の外表面の表面粗さ（Ｒａ）よりも大きい、モバイルディスプレイ。
【請求項９】
主面に表示部を有するモバイルディスプレイ本体と、
前記表示部の上に配された前面部と、前記前面部に接続されており、前記モバイルディスプレイ本体の側方に配された側面部とを有するカバーガラスと、
を備え、
前記側面部の外表面の少なくとも一部に凹凸が設けられている、モバイルディスプレイ。
【発明の詳細な説明】
【技術分野】
【０００１】
本発明は、モバイルディスプレイ用カバーガラス及びそれを備えるモバイルディスプレイに関する。
【背景技術】
【０００２】
近年、携帯電話機、スマートフォン、ノート型パーソナルコンピューター、タブレットパーソナルコンピューターなどのディスプレイを備えたモバイル機器が広く用いられるようになってきている（以下、ディスプレイを備えたモバイル機器を「モバイルディスプレイ」という。）。
【０００３】
特許文献１には、モバイルディスプレイに用い得るカバーガラスが記載されている。特許文献１に記載のカバーガラスは、画像表示部の前面に位置する前面部と、画像表示部の幅方向両側において前面部から屈曲する屈曲部と、屈曲部に接続されたスカート部とを備える。
【先行技術文献】
【特許文献】
【０００４】
【特許文献１】特開２０１２−１０１９７５号公報
【発明の概要】
【発明が解決しようとする課題】
【０００５】
特許文献１に記載のように、モバイルディスプレイの前面及び側面を覆うカバーガラスを用いたモバイルディスプレイの取り扱い性を改善したいという要望がある。
【０００６】
本発明の主な目的は、取り扱い性に優れたモバイルディスプレイを実現し得るモバイルディスプレイ用カバーガラスを提供することにある。
【課題を解決するための手段】
【０００７】
本発明に係る第１のモバイルディスプレイ用カバーガラスは、前面部と、側面部とを備える。前面部は、モバイルディスプレイの表示部の上に位置する。側面部は、前面部に接続されている。側面部は、モバイルディスプレイの側面に位置する。側面部の外表面の少なくとも一部の表面粗さ（Ｒａ）が、前面部の外表面の表面粗さ（Ｒａ）よりも大きい。
【０００８】
本発明に係る第１のモバイルディスプレイ用カバーガラスにおいて、側面部の外表面の少なくとも一部の表面粗さ（Ｒａ）が、前面部の外表面の表面粗さ（Ｒａ）の１００倍以上であることが好ましい。
【０００９】
本発明に係る第１のモバイルディスプレイ用カバーガラスにおいて、側面部の外表面の少なくとも一部の表面粗さ（Ｒａ）が、０．５μｍ以上であることが好ましい。
【００１０】
本発明に係る第１のモバイルディスプレイ用カバーガラスにおいて、側面部の外表面の少なくとも一部に凹凸が設けられていてもよい。その場合、側面部の垂線方向において、凹凸の頂部と底部との間の距離が５０μｍ以上であることが好ましい。
【００１１】
本発明に係る第２のモバイルディスプレイ用カバーガラスは、前面部と、側面部とを備える。前面部は、モバイルディスプレイの表示部の上に位置する。側面部は、前面部に接続されている。側面部は、モバイルディスプレイの側面に位置する。側面部の外表面の少なくとも一部に凹凸が設けられている。
【００１２】
本発明に係る第２のモバイルディスプレイ用カバーガラスでは、側面部の垂線方向において、凹凸の頂部と底部との間の距離が５０μｍ以上であることが好ましい。
【００１３】
本発明に係る第１のモバイルディスプレイは、モバイルディスプレイ本体と、カバーガラスとを備える。モバイルディスプレイ本体は、主面に表示部を有する。カバーガラスは、前面部と、側面部とを有する。前面部は、表示部の上に配されている。側面部は、前面部に接続されている。側面部は、モバイルディスプレイ本体の側方に配されている。側面部の外表面の少なくとも一部の表面粗さ（Ｒａ）が、前面部の外表面の表面粗さ（Ｒａ）よりも大きい。
【００１４】
本発明に係る第２のモバイルディスプレイは、モバイルディスプレイ本体と、カバーガラスとを備える。モバイルディスプレイ本体は、主面に表示部を有する。カバーガラスは、前面部と、側面部とを有する。前面部は、表示部の上に配されている。側面部は、前面部に接続されている。側面部は、モバイルディスプレイ本体の側方に配されている。側面部の外表面の少なくとも一部に凹凸が設けられている。
【発明の効果】
【００１５】
本発明によれば、取り扱い性に優れたモバイルディスプレイを実現し得るモバイルディスプレイ用カバーガラスを提供することができる。
【図面の簡単な説明】
【００１６】
【図１】本発明の一実施形態におけるモバイルディスプレイの模式的斜視図である。
【図２】本発明の一実施形態におけるモバイルディスプレイの模式的側面図である。
【図３】本発明の一実施形態のモバイルディスプレイにおいて表面粗さが大きな部分を説明するための模式的斜視図である。
【図４】本発明の他の実施形態におけるモバイルディスプレイの模式的側面図である。
【発明を実施するための形態】
【００１７】
以下、本発明を実施した好ましい形態の一例について説明する。但し、下記の実施形態は、単なる例示である。本発明は、下記の実施形態に何ら限定されない。
【００１８】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１９】
図１は、本実施形態におけるモバイルディスプレイ１の模式的斜視図である。図２は、本実施形態におけるモバイルディスプレイ１の模式的側面図である。
【００２０】
モバイルディスプレイ１は、例えば、携帯電話機、スマートフォン、ノート型パーソナルコンピューター、タブレットパーソナルコンピューターなどであってもよい。
【００２１】
図１及び図２に示されるように、モバイルディスプレイ１は、モバイルディスプレイ本体２０と、カバーガラス１０とを備えている。モバイルディスプレイ本体２０は、主面２１と、主面２１の長辺側に位置する側面２２，２３とを有する矩形板状に設けられている。但し、本発明において、モバイルディスプレイ本体の形状は、板状である限りにおいて特に限定されない。
【００２２】
主面２１は、画像や文字等を表示する表示部を有する。表示部は、タッチパネル面を構成していてもよい。また、側面２２，２３も表示部、タッチパネル面を構成している表示部を有していてもよい。
【００２３】
カバーガラス１０は、モバイルディスプレイ本体２０の主面２１及び側面２２，２３を覆うように設けられている。
【００２４】
カバーガラス１０は、例えば、化学強化ガラスからなる化学強化ガラス板や、結晶化ガラス板等により構成することができる。カバーガラス１０の厚みは、特に限定されないが、０．２ｍｍ〜１．５ｍｍであることが好ましく、０．２５ｍｍ〜１．１ｍｍであることがより好ましく、０．３ｍｍ〜１．０ｍｍであることがさらに好ましい。
【００２５】
カバーガラス１０は、前面部１１を有する。前面部１１は、モバイルディスプレイ本体２０の主面２１の上方に配されている。このため、ディスプレイの表示品位を高める観点から、前面部１１は、平板状であることが好ましい。前面部１１の両主面の平坦性が高いことが好ましい。また、前面部１１の外表面（ｚ１側の主面）の表面粗さ（Ｒａ）が小さいことが好ましい。具体的には、前面部１１の外表面及び内表面のそれぞれの表面粗さ（Ｒａ）は、０．０１μｍ以下であることが好ましく、０．００８μｍ以下であることがより好ましい。なお、ここで、表面粗さ（Ｒａ）とは、ＪＩＳ  Ｂ０６０１−２００１で規定される算術平均粗さ（Ｒａ）のことである。表面粗さ（Ｒａ）は、東京精密株式会社製サーフコム５０００ＤＸを用いることにより測定することができる。
【００２６】
「平板状」には、実質的に平板状であることが含まれる。例えば、「平板」には、一の表面と、一の表面に対して５°以下の範囲で傾斜した他の表面とを有する板が含まれるものとする。
【００２７】
前面部１１のｘ軸方向におけるｘ１側端部には、第１の側面部１２が接続されている。この第１の側面部１２は、モバイルディスプレイ本体２０の側方に配される部分である。具体的には、第１の側面部１２は、モバイルディスプレイ本体２０のｘ軸方向のｘ１側に配される。
【００２８】
第１の側面部１２は、第１の屈曲部１２ａを含む。第１の屈曲部１２ａは、前面部１１に接続されている。第１の屈曲部１２ａは、前面部１１のｘ軸方向におけるｘ１側端部から後方（ｚ２側）に向かって屈曲している。前面部１１のｘ１側端部における内壁面の接線と、第１の側面部１２の先端における内壁面の接線とのなす各の大きさである屈曲角は、９０°〜１７０°であることが好ましく、９０°〜１５０°であることがより好ましい。
【００２９】
なお、本実施形態では、第１の側面部１２は、第１の屈曲部１２ａと、第１の屈曲部１２ａの先端に接続された第１の平板部１２ｂとを有する。但し、本発明は、この構成に限定されない。第１の側面部１２は、例えば、第１の屈曲部１２ａのみにより構成されていてもよい。
【００３０】
前面部１１のｘ軸方向におけるｘ２側端部には、第２の側面部１３が接続されている。この第２の側面部１３と、前面部１１及び第１の側面部１２とは、一枚のガラス板により構成されている。第２の側面部１３は、モバイルディスプレイ本体２０の側方に配される部分である。具体的には、第２の側面部１３は、モバイルディスプレイ本体２０のｘ軸方向のｘ２側に配される。
【００３１】
第２の側面部１３は、第２の屈曲部１３ａを含む。第２の屈曲部１３ａは、前面部１１に接続されている。第２の屈曲部１３ａは、前面部１１のｘ軸方向におけるｘ２側端部から後方（ｚ２側）に向かって屈曲している。前面部１１と第２の側面部１３との屈曲角は、９０°〜１７０°であることが好ましく、９０°〜１５０°であることがより好ましい。
【００３２】
なお、本実施形態では、第２の側面部１３は、第２の屈曲部１３ａと、第２の屈曲部１３ａの先端に接続された第２の平板部１３ｂとを有する。但し、本発明は、この構成に限定されない。第２の側面部１３は、例えば、第２の屈曲部１３ａのみにより構成されていてもよい。
【００３３】
ところで、モバイルディスプレイ１は、通常、側面部１２と側面部１３とに指を当てて把持される。ここで、モバイルディスプレイ１では、側面部１２，１３の外表面の少なくとも一部の表面粗さ（Ｒａ）が、前面部１１の外表面の表面粗さ（Ｒａ）よりも大きい。このため、側面部１２，１３と指との間に生じる摩擦力が大きく、指が滑りにくい。従って、モバイルディスプレイ１は、優れたグリップ性を有する。よって、モバイルディスプレイ１は、取り扱い性に優れている。
【００３４】
なお、カバーガラス１０の外表面の全体の表面粗さ（Ｒａ）を大きくすることも考えられる。しかしながら、その場合は、前面部の外表面の表面粗さ（Ｒａ）も大きくなるため、表示品位が低下する場合がある。一方、本実施形態のように、表示部の上に位置する前面部１１の外表面の表面粗さ（Ｒａ）を小さくする一方、側面部１２，１３の少なくとも一部の表面粗さ（Ｒａ）を大きくした場合は、表示品位を低下させることなく、優れたグリップ性を実現することができる。
【００３５】
より優れたグリップ性を実現する観点からは、側面部１２，１３の外表面の少なくとも一部の表面粗さ（Ｒａ）が、前面部１１の外表面の表面粗さ（Ｒａ）の１００倍以上であることが好ましく、２００倍以上であることがより好ましい。具体的には、側面部１２，１３の外表面の表面粗さ（Ｒａ）は、０．５μｍ以上であることが好ましく、０．８μｍ以上であることがより好ましく、１μｍ以上であることがさらに好ましい。
【００３６】
本実施形態では、具体的には、側面部１３のうち、平板部１３ｂの先端部１３ｂ１の表面粗さ（Ｒａ）が前面部１１の外表面の表面粗さ（Ｒａ）よりも大きい。側面部１３の先端部１３ｂ１以外の部分及び屈曲部１３ａの外表面の表面粗さ（Ｒａ）は、前面部１１の外表面の表面粗さ（Ｒａ）と実質的に同様である。同様に、側面部１２のうち、平板部１２ｂの先端部１２ｂ１の表面粗さ（Ｒａ）が前面部１１の外表面の表面粗さ（Ｒａ）よりも大きい。側面部１２の先端部１２ｂ１以外の部分及び屈曲部１２ａの外表面の表面粗さ（Ｒａ）は、前面部１１の外表面の表面粗さ（Ｒａ）と実質的に同様である。
【００３７】
なお、側面部１２，１３の外表面の少なくとも一部の表面粗さ（Ｒａ）を大きくする方法は特に限定されない。例えば、カバーガラス１０を作製する際に、側面部１２，１３が高温であるときに、大きな表面粗さ（Ｒａ）を有する部材（例えばプレス具等）を押し当てることにより表面粗さ（Ｒａ）が大きな部分を形成してもよい。また、化学エッチングや、ブラストなどにより表面粗さ（Ｒａ）が大きな部分を形成してもよい。
【００３８】
さらに優れたグリップ性を実現する観点からは、図４に示されるように、側面部１２，１３の外表面の少なくとも一部に凹凸を設けてもよい。そうすることにより、側面部１２，１３の外表面の凹凸が設けられた部分の摩擦力が高められるのみならず、操作者の指と側面１２，１３との間のアンカー効果が大きくなる。従って、グリップ性をさらに改善することができる。十分に大きなアンカー効果を得る観点から、側面部１２，１３の垂線方向において、凹凸の頂部と底部との間の距離が５０μｍ以上であることが好ましく、７０μｍ以上であることがより好ましい。側面部１２，１３の垂線方向において、凹凸の頂部と底部との間の距離は、側面部１２，１３の平均厚みの１／２以下であることが好ましい。そうすることにより、側面部１２，１３の剛性の低下を抑制しつつ、グリップ性を改善することができる。
【００３９】
側面部１２，１３に設ける凹凸の形状は特に限定されない。側面部１２，１３に設ける凹凸は、線状に設けられていてもよし、角錐状、円錐状、角錐台状、円錐台状、角柱状または円柱状に設けられていてもよい。側面部１２，１３に、形状及び大きさの少なくとも一方が異なる複数種類の凹凸が設けられていてもよい。
【００４０】
なお、図４に示されるように、側面部１２，１３の外表面の少なくとも一部に凹凸を設ける場合は、側面部１２，１３の外表面の少なくとも一部の表面粗さ（Ｒａ）が、前面部１１の外表面の表面粗さ（Ｒａ）よりも大きい必要は必ずしもない。
【符号の説明】
【００４１】
１…モバイルディスプレイ
１０…カバーガラス
１１…前面部
１２…第１の側面部
１２ａ…第１の屈曲部
１２ｂ…第１の平板部
１３…第２の側面部
１３ａ…第２の屈曲部
１３ｂ…第２の平板部
１３ｂ１…先端部
２０…モバイルディスプレイ本体
２１…主面
２２，２３…側面
【図１】
2014115544.tif 000003
【図２】
2014115544.tif 000004
【図３】
2014115544.tif 000005
【図４】
2014115544.tif 000006